(57)【要約】【課題】  従来の可撓性防水シート材からなる浸水防止装置は、緊急時にのみ使用するものであることから、平常時はピットや凹溝に収納し常時折り込まれた状態で待機する仕組みで、直射日光による紫外線や雨水や土砂やゴミなどの異物の混入による可撓性防水シート材の劣化や損傷の発生が起きやすいなど、過酷な環境による影響で保持点検が必要となる問題点を有している。また、構造が複雑で保持点検が必要なものや、大掛かりで経済的に一般市民が使用するには高価すぎる問題点を有している。【解決手段】  地面４に形成した排水桝や側溝５であって、蓋受枠１に嵌め込み係留具６を備え、その嵌め込み係留具６はＣ型状断面をした凹状で構造が簡易で安価に提供でき、浸水を防止すべく可撓性防水シート材からなる脱着可能な浸水防止装置の設置も容易で、迅速かつ確実に水の浸入を遮断することができる。【選択図】図２
2008019697.tif 000002
【特許請求の範囲】
【請求項１】
地面に形成した排水桝や側溝であって、蓋受枠に嵌め込み係留具を設けたことを特徴とする嵌め込み係留具を備えた蓋受枠。
【請求項２】
請求項１記載の蓋受枠に設けられた嵌め込み係留具であって、Ｃ型状断面をした凹状であることを特徴とする嵌め込み係留具を備えた蓋受枠。
【請求項３】
請求項２記載の嵌め込み係留具であって、水抜き穴を穿孔したことを特徴とする嵌め込み係留具を備えた蓋受枠。
【請求項４】
請求項１記載の嵌め込み係留具であって、嵌め込み係留具本体に固定されたフックを備えたことを特徴とする嵌め込み係留具を備えた蓋受枠。
【発明の詳細な説明】
【技術分野】
【０００１】  本発明は、集中豪雨や洪水等の水害緊急時に車両や工場商品の浸水被害、および建物や敷地への浸水被害を防止するための可撓性材料からなる浸水防止ゲートの、地面縁部および側壁縁部の固定用の嵌め込み係留具に関する。
【背景技術】
【０００２】  従来から、集中豪雨や洪水等の水害緊急時に車両や工場商品の浸水被害および建物や敷地への浸水被害を防止するための各種の装置が報告されている。【０００３】  その中で、可撓性材料からなる防水シート壁構造の浸水防止装置において、縁部シートをピット底面に水密に係留するため、押え金具やボルトなどで固定され、常時折り込まれた状態でピット内に待機する仕組みが開示されている。（例えば、特許文献１参照）。【０００４】  また、可撓性材料からなる密閉袋状に、圧縮空気や高圧ガスなどの気体や、水などの流体を供給することによる浸水防止装置において、凹溝に収納し底面に水密的に固定され、常時折り込まれた状態で待機する仕組みも開示されている。（例えば、特許文献２参照）。【０００５】
【特許文献１】特開２００１−１８２４５２号公報（第２図）
【特許文献２】特開２００５−２９９６８号号公報（第５図）
【発明が解決しようとする課題】
【０００６】  しかしながら、上記従来例のような浸水防止装置は、構造が複雑で保持点検が必要なものや、大掛かりで経済的に一般住民が使用するには高価すぎる問題点を有している。
【０００７】  さらに、浸水防止装置は、緊急時にのみ使用するものであることから、上記従来例のような浸水防止装置は、平常時はピットや凹溝に収納し常時折り込まれた状態で待機する仕組みであるため、直射日光による紫外線や雨水や土砂やゴミなどの異物の混入による可撓性材料の劣化や損傷の発生が起きやすいなど、過酷な環境による影響で保持点検が必要となる問題点を有している。
【０００８】  本発明は、このような課題に鑑みてなされたものであり、可撓性材料からなる防水シートの設置が容易で、構造が簡易で安価に提供できる嵌め込み係留具を備えた蓋受枠を提供することを目的とする。また、本発明は、常時固定式の問題点である可撓性材料からなる防水シートの劣化や損傷の発生防止として、可撓性材料からなる防水シートの脱着可能な浸水防止装置を提供することを目的とする。
【課題を解決するための手段】
【０００９】  本発明に係る発明の嵌め込み係留具を備えた蓋受枠は、上記の目的を達成するため、地面に形成した排水桝や側溝であって、蓋受枠に嵌め込み係留具を備え、その嵌め込み係留具はＣ型状断面をした凹状で構造が簡易で安価に提供でき、浸水を防止すべく可撓性防水シート材からなる脱着可能な浸水防止装置の設置も容易で、迅速かつ確実に水の浸入を遮断することができる。
【発明の効果】
【００１０】  本発明は、以下に記載されるような効果を奏する。
請求項１記載の発明の嵌め込み係留具を備えた蓋受枠は、地面に形成した排水桝や側溝であって、蓋受枠に嵌め込み係留具を備え、浸水を防止すべく可撓性防水シート材からなる脱着可能な浸水防止装置を設置し、確実に水の浸入を遮断することができる。
【００１１】  また、請求項２記載の発明は請求項１に記載の発明において、蓋受枠に設けられた嵌め込み係留具であって、Ｃ型状断面をした凹状で構造が簡易で安価に提供でき、浸水を防止すべく可撓性防水シート材からなる脱着可能な浸水防止装置の設置も容易で、迅速かつ確実に水の浸入を遮断することができる。
【００１２】  請求項３記載の発明は、請求項２に記載の発明において、Ｃ型状断面をした凹状で構造の嵌め込み係留具であって、雨水や土砂やゴミなどの異物の堆積を防ぐことを目的に水抜き穴を穿孔した。
【００１３】  請求項４記載の発明は、請求項１に記載の発明において、浸水を防止すべく可撓性防水シート材からなる脱着可能な浸水防止装置の係留方法において、嵌め込み係留だけでなく、鳩目やロープ留具の引っ掛け係留などの多様性に対応すべく、嵌め込み係留具本体に固定されたフックを設ける。
【発明を実施するための最良の形態】
【００１４】  以下に、この発明方法を図示実施例に基づいて具体例的に説明する。図１は、従来の蓋受枠を示す斜視図である。同図に示すように、一般的な蓋受枠１は、鋼製のアングル材や板をＬ型に曲げてアンカー２を取り付けたものである。【００１５】  図２は本発明に係わる嵌め込み係留具を蓋受枠下部に備えた一実施例を示す斜視図である。同図に示すように、地面４に形成した側溝５の屋内側蓋受枠１の下部に設けた嵌め込み係留具６で、平常時は側溝５の蓋体３が上面を覆い、人や車両の通行に支障は生じない。Ｃ型状断面をした凹状の嵌め込み係留具６は、側溝５内の側面に位置し、Ｃ型状断面内部に雨水や土砂やゴミなどの異物の堆積が考えられ、それを防ぐことを目的に水抜き穴９を穿孔する。また、浸水を防止すべく可撓性防水シート材からなる脱着可能な浸水防止装置の係留方法として、嵌め込み係留だけでなく、鳩目やロープ留具の引っ掛け係留などの多様性に対応すべく、嵌め込み係留具６本体に固定されたフック１１を設けた。【００１６】  図３は本発明に係わる嵌め込み係留具を蓋受枠部上向きに備えた一実施例を示す斜視図である。同図に示すように、図２と同様に地面４に形成した側溝５の屋内側蓋受枠１の下部に設けた嵌め込み係留具６であるが、Ｃ型状断面をした凹状の嵌め込み係留具６の設置位置が、蓋受枠１を兼ねた上向きに位置していることを特徴としている。蓋受枠１を兼ねた上向きに設置することで、図６に示すように、端部の側壁取り付け嵌め込み係留具８との連続接合が容易であることを特徴としている。Ｃ型状断面が上向きであるため、内部に雨水や土砂やゴミなどの異物の堆積が考えられ、それを防ぐことを目的に水抜き穴９を穿孔する。また、浸水を防止すべく可撓性防水シート材からなる脱着可能な浸水防止装置の係留方法として、嵌め込み係留だけでなく、鳩目やロープ留具の引っ掛け係留などの多様性に対応すべく、嵌め込み係留具６本体に固定されたフック１１を設けた。【００１７】  図４は本発明に係わる嵌め込み係留具を蓋受枠下部側壁に後づけ固定した一実施例を示す斜視図である。同図に示すように、地面４に形成した既設側溝５において、アンカーボルト７などの固定具にて後づけ固定で屋内側の側壁側溝５内に設けた嵌め込み係留具６である。Ｃ型状断面をした凹状の嵌め込み係留具６は、側溝５内の側面に位置し、Ｃ型状断面内部に雨水や土砂やゴミなどの異物の堆積が考えられ、それを防ぐことを目的に水抜き穴９を穿孔する。また、浸水を防止すべく可撓性防水シート材からなる脱着可能な浸水防止装置の係留方法として、嵌め込み係留だけでなく、鳩目やロープ留具の引っ掛け係留などの多様性に対応すべく、嵌め込み係留具６本体に固定されたフック１１を設けた。【００１８】  図５は本発明に係わる嵌め込み係留具を蓋受枠下部側壁に後づけ固定した端部の一実施例を示す斜視図である。同図に示すように、地面４に形成した既設側溝５において、屋内側の側壁側溝５内に設けた嵌め込み係留具６と側壁取り付け嵌め込み係留具８をアンカーボルト７などの固定具にて後づけ固定した一実施例を示す。既設側溝５内に設置する関係上、側溝５の蓋体３が上面を覆い、端部の側壁取り付け嵌め込み係留具８との連続接合が困難な��め、嵌め込み係留具の連結具１３を組み込むことを特徴としている。【００１９】  図６は本発明に係わる嵌め込み係留具を蓋受枠部上向きに備えた端部の一実施例を示す斜視図である。同図に示すように、Ｃ型状断面をした凹状の嵌め込み係留具６の設置位置が、蓋受枠１を兼ねた上向きに設置することで、端部の側壁取り付け嵌め込み係留具８との連続接合が容易であることを特徴としている。【００２０】  図７は本発明に係わる嵌め込み係留具を蓋受枠下部に備えた端部の一実施例を示す斜視図である。同図に示すように、Ｃ型状断面をした凹状の嵌め込み係留具６の設置位置が、側溝５の屋内側蓋受枠１の下部に設けた嵌め込み係留具６で、端部の側壁取り付け嵌め込み係留具８との連続接合が容易であることを特徴としている。ただし、側壁取り付け嵌め込み係留具８を埋め込む場合は、図７に示すように、係留スペース１２を側壁１０部に確保する。【００２１】  図８は本発明に係わる嵌め込み係留具を蓋受枠下部に備えた一実施例であって、可撓性防水シート材からなる脱着可能な浸水防止装置を係留した状態の斜視図である。同図に示すように、側溝５の屋内側蓋受枠１の下部に設けたＣ型状断面をした凹状の嵌め込み係留具６に、可撓性防水シート材１７からなる脱着可能な浸水防止装置を係留し、水の圧力（重さ）の影響で引っ張りが発生し、逆Ｔ型留め具２０部分に引き抜き圧着している状態を示している。また、屋内側に可撓性防水シート材１７が敷きこまれた状態で、水の圧力（重さ）の影響で地面４部および側壁１０部との隙間を圧密し、より確実に強力な止水効果を発揮する状態を示している。屋内側の可撓性防水シート材１７の立ち上がり部の背後に、バリケード（固定器具）１５を設置し、可撓性防水シート材１７上部（縁部）の鳩目２３などの結束部１６にてバリケード（固定器具）１５と結束固定し、浸水防止壁が形成され外部からの浸水を防ぐことを示している。緊急時でも側溝５の蓋体３が上面を覆うことが可能で、人の往来に支障が生じないものとする。【００２２】  図９は本発明に係わる嵌め込み係留具を蓋受枠下部に備えた一実施例であって、可撓性防水シート材からなる浸水防止装置の鳩目の引っ掛け係留具を、嵌め込み係留具本体に固定されたフックに係留した状態の斜視図である。同図に示すように、側溝５の屋内側蓋受枠１の下部に設けたＣ型状断面をした凹状の嵌め込み係留具６本体に固定されたフック１１に、可撓性防水シート材１９からなる浸水防止装置の鳩目２３の引っ掛け係留具を係留した状態を示している。また、屋内側に可撓性防水シート材１９が敷きこまれた状態で、水の圧力（重さ）の影響で地面４部および側壁１０部との隙間を圧密し、より確実に強力な止水効果を発揮する状態を示している。屋内側の可撓性防水シート材１９の立ち上がり部の背後に、バリケード（土嚢）２２を設置し、浸水防止ゲートが形成され外部からの浸水を防ぐことを示している。緊急時でも側溝５の蓋体３が上面を覆うことが可能で、人の往来に支障が生じないものとする。【００２３】  図１０は本発明に係わる嵌め込み係留具を蓋受枠下部に備えた一実施例であって、可撓性防水シート材からなる脱着可能な浸水防止装置の地面縁部の嵌め込み係留時を示す拡大���細の斜視図である。同図に示すように、側溝５の屋内側蓋受枠１の下部に設けたＣ型状断面をした凹状の嵌め込み係留具６に、可撓性防水シート材１７からなる脱着可能な浸水防止装置を係留した状態を示している。Ｃ型状断面をした凹状で構造の嵌め込み係留具６には、雨水や土砂やゴミなどの異物の堆積を防ぐことを目的に水抜き穴９を穿孔している。【００２４】  図１１は本発明に係わる嵌め込み係留具を蓋受枠下部に備えた一実施例であって、可撓性防水シート材からなる脱着可能な浸水防止装置の地面縁部の水の圧力（重さ）２１で地面部との隙間を圧密し、止水効果を発揮する状態を示す拡大詳細の斜視図である。同図に示すように、側溝５の屋内側蓋受枠１の下部に設けたＣ型状断面をした凹状の嵌め込み係留具６に、可撓性防水シート材１７からなる脱着可能な浸水防止装置を係留し、水の圧力（重さ）２１の影響で引っ張りが発生し、逆Ｔ型留め具２０部分に引き抜き圧着している状態を示している。Ｃ型状断面をした凹状で構造の嵌め込み係留具６には、雨水や土砂やゴミなどの異物の堆積を防ぐことを目的に水抜き穴９を穿孔している。【００２５】  図１２は本発明に係わる嵌め込み係留具を排水桝蓋受枠下部に備えた一実施例を示す斜視図である。同図に示すように、地面４に形成した排水桝２４の蓋受枠１の下部に設けた嵌め込み係留具６で、平常時は排水桝２４の蓋体３が上面を覆い、人や車両の通行に支障は生じない。集中豪雨や洪水等の水害緊急時には、構築物の出入口から浸入する水の流れを堰き止めるだけでなく、排水桝２４よりの水面上昇による逆流で構築物敷地内への浸入も堰き止める必要がある。排水桝２４よりの逆流を防止するために排水桝２４の蓋受枠１の下部に嵌め込み係留具６を備え、浸水を防止すべく可撓性防水シート材からなる脱着可能な浸水防止装置の設置も容易で、迅速かつ確実に水の浸入を遮断することができる。Ｃ型状断面をした凹状の嵌め込み係留具６は、排水桝２４内の側面に位置し、Ｃ型状断面内部に雨水や土砂やゴミなどの異物の堆積が考えられ、それを防ぐことを目的に水抜き穴９を穿孔する。また、浸水を防止すべく可撓性防水シート材からなる脱着可能な浸水防止装置の係留方法として、嵌め込み係留だけでなく、鳩目やロープ留具の引っ掛け係留などの多様性に対応すべく、嵌め込み係留具６本体に固定されたフック１１を設けている。
【図面の簡単な説明】
【００２６】
【図１】従来の蓋受枠を示す斜視図である。
【図２】本発明に係わる嵌め込み係留具を蓋受枠下部に備えた一実施例を示す斜視図である。
【図３】本発明に係わる嵌め込み係留具を蓋受枠部上向きに備えた一実施例を示す斜視図である。
【図４】本発明に係わる嵌め込み係留具を蓋受枠下部側壁に後づけ固定した一実施例を示す斜視図である。
【図５】本発明に係わる嵌め込み係留具を蓋受枠下部側壁に後づけ固定した端部の一実施例を示す斜視図である。
【図６】本発明に係わる嵌め込み係留具を蓋受枠部上向きに備えた端部の一実施例を示す斜視図である。
【図７】本発明に係わる嵌め込み係留具を蓋受枠下部に備えた端部の一実施例を示す斜視図である。
【図８】本発明に係わる嵌め込み係留具を蓋受枠下部に備えた一実施例であって、可撓性防水シート材からなる脱着可能な浸水防止装置を係留した状態の斜視図である。
【図９】本発明に係わる嵌め込み係留具を蓋受枠下部に備えた一実施例であって、可撓性防水シート材からなる浸水防止装置の鳩目の引っ掛け係留具を、嵌め込み係留具本体に固定されたフックに係留した状態の斜視図である。
【図１０】本発明に係わる嵌め込み係留具を蓋受枠下部に備えた一実施例であって、可撓性防水シート材からなる脱着可能な浸水防止装置の地面縁部の嵌め込み係留時を示す拡大詳細の斜視図である。
【図１１】本発明に係わる嵌め込み係留具を蓋受枠下部に備えた一実施例であって、可撓性防水シート材からなる脱着可能な浸水防止装置の地面縁部の水圧（重さ）の力で地面部との隙間を圧密し、止水効果を発揮する状態を示す拡大詳細の斜視図である。
【図１２】本発明に係わる嵌め込み係留具を排水桝蓋受枠下部に備えた一実施例を示す斜視図である。
【符号の説明】
【００２７】１蓋受枠、２アンカー、３蓋体、４地面、５側溝、６嵌め込み係留具、７アンカーボルト、８側壁取り付け嵌め込み係留具、９水抜き穴、１０側壁、１１フック、１２係留スペース、１３嵌め込み係留具の連結具、１４係留穴、１５バリケード（固定器具）、１６結束部、１７可撓性防水シート材（嵌め込み係留）、１８水面、１９可撓性防水シート材（鳩目係留）、２０逆Ｔ型留め具（嵌め込み係留）、２１水の圧力（重さ）、２２バリケード（土嚢）、２３鳩目、２４排水桝、
【図１】
2008019697.tif 000003
【図２】
2008019697.tif 000004
【図３】
2008019697.tif 000005
【図４】
2008019697.tif 000006
【図５】
2008019697.tif 000007
【図６】
2008019697.tif 000008
【図７】
2008019697.tif 000009
【図８】
2008019697.tif 000010
【図９】
2008019697.tif 000011
【図１０】
2008019697.tif 000012
【図１１】
2008019697.tif 000013
【図１２】
2008019697.tif 000014